(57)【要約】【課題】ペットに安心感を与えながら、その身づくろいとその場の掃除とを同時並行して行うことができるペット手入れ用具；さらに浴槽としても使用できるペット手入れ用具；さらに非手入れ時はペットの小屋としても使用できるペット手入れ用具であって、構造が比較的単純で、作製や使用も簡便なものを提供すること。【解決手段】本発明のペット手入れ用具は、上面の口部(５)からペットを安定して内部に収納可能で、自立可能な容器(１')から成るもので、前記容器(１')の側壁に、少なくとも１つの集塵口(２')が設けられていることを特徴とするものである。本発明のペット手入れ用具はさらに、前記集塵口(２')を開閉自在なものすること；前記容器(１')を、前記口部(５)を横に向けても安定に自立可能なものとすること、も可能である。【選択図】図３
2007044002.tif 000002
【特許請求の範囲】
【請求項１】
上面の口部からペットを安定して内部に収納可能で、自立可能な容器から成るもので、前記容器の側壁に、少なくとも１つの集塵口が設けられていることを特徴とする、ペット手入れ用具。
【請求項２】
前記容器が、これを前記口部を横に向けて置いた場合にも安定に自立可能であることを特徴とする、請求項１記載のペット手入れ用具。
【請求項３】
前記集塵口が、掃除機のホースを取り付け可能となっていることを特徴とする、請求項１または２に記載のペット手入れ用具。
【請求項４】
前記容器が横長の実質的に卵型をなすものである、請求項１〜３のいずれか１項に記載のペット手入れ用具。
【請求項５】
前記容器の底面および背面に、前記容器を自立させるための脚が取り付けられている、請求項１〜４のいずれか１項に記載のペット手入れ用具。
【請求項６】
前記集塵口が開閉自在な構造となっており、かつ前記容器の内面が防水性を有するものである、請求項１〜５のいずれか１項に記載のペット手入れ用具。
【発明の詳細な説明】
【技術分野】
【０００１】
本発明は、ペットの手入れと生じた抜け毛・老廃物の掃除を同時並行して行うことができる場として使用できるペット手入れ用具、さらにペットの浴槽としても使用できる前記ペット手入れ用具、および、さらに非手入れ時はペットの小屋としても使用できる多機能ペット手入れ用具に関する。
【背景技術】
【０００２】
イヌやネコ等の体毛を有するペットは、日々ブラッシングや爪切り、洗浄等の手入れをする必要があるが、かかる手入れにより生じた抜け毛や老廃物は放っておくと散在して場を汚し、この後始末は飼い主にとって非常な負担である。このため、場を汚すことなく効果的にペットの手入れを行うための用具が考案されている(特許文献１)。
【発明の開示】
【発明が解決しようとする課題】
【０００３】
しかし、この従来技術による手入れ用具は、ペットが受けるストレスの観点からの工夫がなされておらず、使用時にペットに少なからずストレスを与えて、ペットの警戒を招く恐れがあるものである。また、ペットの毛並みを整えること以外の用途を意図しないものであり、融通性に欠ける。ペットの手入れ用具としては他にも、例えばペット洗浄用の装置（特許文献２および３）が開発されているが、これらはペットの洗浄のみを目的とするものである。
かかる先行技術による手入れ用具にはまた、手入れや洗浄の効果を高めることに力点を置くあまり、構造が複雑であったり嵩張ったりする他、用具の作製や使用が簡便でないといった問題もある。
【特許文献１】実用新案登録公報第3029958号
【特許文献２】特許公開公報第2004-290139号
【特許文献３】特許公開公報第2004-242595号
【課題を解決するための手段】
【０００４】
本発明者はここに、ブラッシングや爪切り等のペットの身づくろいを行うための場として使用できる用具であって、当該手入れと同時並行してその場の掃除を行うことができ、かつペットに与えるストレスを小さくしたペット手入れ用具を開発した。また本発明者は、かかる用途の他に、ペットの洗浄のための浴槽としても使用できるペット手入れ用具を開発した。さらに発明者は、非手入れ時はペットの小屋としても使用できる多機能のペット手入れ用具を開発した。本発明によるペット手入れ用具は、構造が比較的単純で、作製や使用も簡便である。
【０００５】
本発明によるペット手入れ用具は、上面の口部からペットを安定して内部に収納可能で、自立可能な容器からなるもので、前記容器の側壁に、少なくとも１つの集塵口が設けられていることを特徴とするものである。  
即ち本発明によるペット手入れ用具は、これを構成する容器の上面をペットの出入口として自然にペットを出し入れできるため、容器内にペットを収める際にペットに与える負担、手入れをする飼い主の負担共に、小さいものである。口部を上面とした、容器の自立可能性は、本発明のペット手入れ用具を構成する容器の、その口部を上面とした場合の底面に、例えば平坦面を設ける、脚を取り付ける等により確保することができる。
【０００６】
本発明によるペット手入れ用具は、前記集塵口が、吸引具のホースを取り付け可能なものであり、ペットの身づくろいのための場として使用する場合には、前記集塵口に吸引具のホースの吸込口を取り付けて吸引具を起動させ、当該集塵口からペット手入れ用具内部のペットの体毛やフケ等の老廃物を除去しながら、容器内部でペットの手入れを行うことができるものである。本発明によるペット手入れ用具において使用する吸引具は、通常の家庭用の掃除機であってよい。
【０００７】
本発明による前記ペット手入れ用具はまた、前記容器がこれを水平中心軸周りに回転させて、前記口部を横に向けた場合にも安定に自立可能なものであり、これにより非手入れ時には当該口部を横に向けた状態でこれを静置して当該口部からのペットの出入りを容易にして、ペットの小屋とし得るものである。これによりペットは、手入れ用具を手入れ用に用いる場合にも、普段小屋として慣れ親しんだ場所で安心して手入れをしてもらうことができ、飼い主もペットに抵抗されることなく、速やかに作業をすることが可能となる。容器の口部を横に向けた場合のこの安定自立可能性は、本発明のペット手入れ用具を構成する容器の背面に、例えば平坦面を設ける、脚を取り付ける等により確保することができる。
なお、上面を口部とする前記本発明の容器の高さを、ペットが自由に出入り出来る程度にすれば、前記容器をその口部を横に向けて安定に自立させるまでもなく、容器口部を上面としてペットの小屋として使用できることは、言うまでもない。
【０００８】
本発明によるペット手入れ用具はまた、前記集塵口を開閉自在な構造とし、かつ前記容器の内面が防水性を有するものであって、前記集塵口を閉鎖して、ペット洗浄用の浴槽としても使用できるものである。集塵口の開閉自在な構造は、容器に水を漏らさずにためることができるよう、集塵口を密封できるものであればいかなるものであってもよいが、例えば、着脱自在な密封栓や密封キャップを設ける等により確保することができる。容器は、プラスチックや陶器などの水を通さない材を用いて作製する等により、その防水性を確保したものである。
【０００９】
本発明において、容器側壁における集塵口の設置態様は、所望される効果により適宜選択できる。例えば特に浴槽としての使用を強調したい場合は、急須の注ぎ口のごとく、集塵口から外側上方へと筒状の突起を延長させた設置態様とすることで、浴槽としての使用時の集塵口からの水漏れを効果的に防止できる。また、例えばペットへ与える騒音ストレスを減らすことを特に意図する場合は、容器の側壁の一部を大きく突出させてその先端に前記集塵口を設けることで、容器内部における中央部−ペット手入れ時にペットの居場所となる箇所−と集塵口との距離を長くとることができ、これを達成することができる。
【００１０】
本発明によるペット手入れ用具はその集塵効率を増すために、前記容器において、さらに以下のような特徴を追加的に付与することができる。
１）２個以上の集塵口を設ける。
集塵口が多いほど、用具内の集塵効果は増すが、例えば、合計２個の集塵口を、側壁の向かい合う箇所に設ける、合計３個の集塵口を、側壁において等間隔で設ける等、当該複数の集塵口の位置関係を適宜調整することにより、集塵効率を一層増すことができる。
【００１１】
２）容器内部底面を、少なくとも集塵口近傍において当該集塵口へと傾斜する面ないし曲面とする。
これにより、当該容器底面において、おそらくは吸引具の吸込みの気流がその中央部に届きやすくなるために、傾斜を設けない場合と比較して、当該集塵口から除塵可能な範囲が広がり、集塵効率を増すことができる。
３）容器側壁内面を、少なくとも当該集塵口の近傍において、当該集塵口を含む曲面とする。
これにより、当該容器内部において、おそらくは吸引具の吸込みの気流がその中央部に届きやすくなるために、曲面としない場合と比較して、当該集塵口から除塵可能な範囲が広がり、除塵効率を増すことができる。
【００１２】
前記２）および３）の特徴を追加したペット手入れ用具として、本発明の前記容器が、上面に口部を有する横長の実質的に卵型の容器において、当該容器の底面に、例えば平坦面を設けるか、脚を取り付けるかし、かつ当該内部空洞の少なくとも一方の凹端部に前記集塵口の一つを設けたもの(略卵形ペット手入れ用具)を挙げることができる。当該内部空洞の両方の凹端部に各々集塵口を設けた場合は、当該略卵形ペット手入れ用具は、前記１）〜３）の全特徴を追加したものとして、極めて優れた除塵効果を達成することができる。なお、かかる略卵形ペット手入れ用具は、容器の背面に、例えば平坦面を設けるか、脚を取り付けるかすることにより、当該背面が底面にくるよう容器を回転し、容器口部を横に向けた場合の安定自立可能性を確保して、多目的に使用可能とすることができる。
【発明の効果】
【００１３】
本発明によるペット手入れ用具により、ペットにさほどのストレスを与えることなく、ペットの手入れとその場の掃除とを簡便に、同時並行して行うことができる。また、本発明によるペット手入れ用具により、ペットの身づくろいのみならず、ペットの入浴・洗浄をも行うことができる。さらに本発明によるペット手入れ用具によれば、これをペットの小屋としても使用できるために非手入れ時に邪魔とならないだけでなく、手入れ時にも、ペットに与えるストレスを結果的に減らすことができ、ひいてはペットが抵抗することがなくなり、飼い主がスムーズに作業を行うことができるメリットがある。
【発明を実施するための最良の形態】
【００１４】
実施例
以下に、非限定的な具体例としての実施例を示して、本発明をより詳細に説明する。
図１および図２は、１つの集塵口を有する横長直方体形状の本発明のペット手入れ用具を説明するための図である。図１は斜視図である。図２のＡは中央縦断面図、Ｂは上面図である。図３〜図５は、２つの集塵口を有する横長の略卵型形状の本発明のペット手入れ用具を説明するための図である。図３は斜視図、図４は、容器口部を横に向けて横長の略卵型形状のペットの小屋として使用する場合の斜視図である。図５は、図４に示す本発明のペット手入れ用具を別方向から見た図であり、Ａは上面図、Ｂは正面図、Ｃは左側面図である。図６は、２つの集塵口を有する本発明のペット手入れ用具と、掃除機吸込口とを連結するためのアダプターの一例を説明するための図である。
【００１５】
図１および図２に示す本発明のペット手入れ用具は、大人のネコ及び中・小型犬を収容できる程度の大きさの、上面が口部として完全に開放された直方体の容器(１)から成るものである。この容器(１)はこのまま口部を上面として安定に自立できる。容器(１)には、一方の側面(Ｓ)の中央部に集塵口(２)を１つ設けてある。集塵口(２)には、集塵口(２)を密封し得る、着脱自在なキャップ(３)が備えてある。容器内部には、その正面(Ｆ)および背面(Ｆ')の中央部から各々、集塵口(２)を設けた当該一側面(Ｓ)の中央部・集塵口(２)の近傍まで、合計２枚の曲面の整流板(４)が取り付けてある。また、容器内部の底面中央部から、集塵口(２)を設けた当該一側面(Ｓ)の中央部・集塵口(２)の真下まで、整流板(４')をやや湾曲させて斜めに橋渡ししてある。
【００１６】
図１および図２に示す容器(１)は直方体であるため、これを水平中心軸周りに４分の１回転させて、口部を横に向けても安定に自立可能であり、横側からのペットの出入が容易なペットの小屋として使用できる。
図１および図２に示す本発明のペット手入れ用具を、ペットの身づくろいのための場として使用する場合は、集塵口(２)のキャップ(３)を外して集塵口(２)を掃除機(図示せず)の吸込口と連結し、掃除機を起動させる。掃除機による容器内の集塵・掃除と、容器内でのペットの身づくろいを、同時並行してなすことができる。
図１および図２に示す本発明のペット手入れ用具によれば、家庭用掃除機を用いて、集塵口(２)の周辺から容器(１)の底面中央部までのところに落ちたネコの毛を吸い込むことができる。
図１および図２に示すペット手入れ用具は、集塵口(２)のキャップ(３)を閉めて密封状態とし、口部を上面として内部に水を張り、浴槽としても使用できる。
【００１７】
図３〜図５に示す本発明のペット用手入れ用具は、大人のネコ及び中・小型犬を収容できる程度の大きさの、楕円形の口部(５)を有する横長の略卵型の容器(１')から成るものである。この溶器(１')の底面には４本の脚(６)を取り付けてあり、これにて容器(１')は口部(５)を上面として安定に自立できる。容器(１')において最も外方向へ凹んだ両端部には、集塵口(２')を設けてある。集塵口(２')には、集塵口(２')を密封し得る、着脱自在のキャップ(３')が備えてある。容器内部空洞は、中央部から左右両集塵口(２')へと湾曲・収束する曲面を形成している。
【００１８】
図３〜図５に示す容器(１')は、容器(１')の口部(５)を上面としたこのままの状態で置いても、ペットが自由に出入りでき、非手入れ時はペットの小屋として使用できるものであるが、容器の背面にも４本の脚(６')を取り付けてあり、容器(１')を水平中心軸周りに４分の１回転させて容器背面の脚(６')を底面に位置づけ、容器(１')の口部(５)を横に向けても、安定に自立可能である。こうして非手入れ時には、容器(１')の口部(５)を横に向けて、口部(５)からのペットの出入が一層容易な小屋となるようにしてある。また、図３〜図５に示す手入れ用具は、その斬新な形状により、室内に好ましい美観をも呈することもできる。
【００１９】
図３〜図５に示すペット手入れ用具において、一方の集塵口(２')のみ使用して集塵をなす場合は、使用する集塵口（２'）にのみ掃除機の吸引口(図示せず)を連結させて、他方の集塵口(２')はキャップ(３')を閉じ、掃除機を起動させる。両方の集塵口(２')を使用して集塵をなす場合は、例えば図６に示すアダプター(７)を用いて手入れ用具(１')と掃除機(図示せず)を連結することができる。即ち、図６に示すアダプター(７)は、ホース(８)の一端(８−１)が集塵口(２')と連結し、他端(８−２)が掃除機の吸込口へと通じる２本の吸込ホース(８)の末端(８−２)が、互いに合流・収束して一本の掃除機吸込口連結部(８−３)を形成するように構成されたものである。このアダプター(７)の吸込ホース(８)の先端(８−１)を各々集塵口(２')と連結し、かつ掃除機吸込口連結部(８−３)を掃除機のホースの吸込口と連結した後、掃除機を起動させて、集塵口(２')から掃除機への集塵を行うことができる。
【００２０】
図３〜図５に示す卵形ペット手入れ用具によれば、左右２ヶ所の集塵口(２')から集塵した場合、家庭用掃除機を用いて、各集塵口(２')の周辺から容器の底面中央部までのところに落ちたネコの毛を吸い込むことができる。
図３〜図５に示すペット手入れ用具は、両方の集塵口(２')のキャップ(３')を閉めて密封状態とし、口部(５)を上面として内部に水を張り、浴槽としても使用できる。
【図面の簡単な説明】
【００２１】
【図１】本発明のペット手入れ用具の一態様を示す斜視図である。
【図２】図１に示す本発明のペット手入れ用具を所定の方向から見た図である。Ａは中央縦断面図、Ｂは上面図である。
【図３】本発明のペット手入れ用具の別態様およびその使用状況を示す斜視図である。
【図４】図３に示す本発明のペット手入れ用具を、容器口部を横に向けてペットの小屋とした場合の、その使用状況を示す斜視図である。
【図５】図４に示す本発明のペット手入れ用具を別方向から見た図であり、Ａは上面図、Ｂは正面図、Ｃは左側面図である。
【図６】複数の集塵口を有する本発明の本発明のペット手入れ用具と一つの掃除機とを連結するのに用いるアダプターの一例を示す図である。
【符号の説明】
【００２２】
１、１'  容器
２、２'  集塵口
３、３'  キャップ
４、４'  整流板
５  容器口部
６、６'  脚
７  アダプター
８  吸込ホース
８−１  吸込ホース先端
８−２  吸込ホース末端
８−３  掃除機吸込口連結部
Ｆ  直方体容器正面
Ｆ'  直方体容器背面
Ｓ  直方体容器一側面
【図１】
2007044002.tif 000003
【図２】
2007044002.tif 000004
【図３】
2007044002.tif 000005
【図４】
2007044002.tif 000006
【図５】
2007044002.tif 000007
【図６】
2007044002.tif 000008